(57)【要約】【課題】  カメラ付きの携帯端末装置を用いた撮影時において、ユーザが意図するように着信を通知できるようにする。【解決手段】  通信部１４に着信があるとＣＰＵ３２が処理を開始し、カメラ状態検知部１２がカメラ部１０が起動しているか否かを検知する。カメラ部１０が起動していると、着信の通知方法がバイブモードとなっているか否かを判定する。バイブモードの場合はバイブレータ制御部２２がバイブレータ２０の振動レベルを弱に変更し、これによりバイブレータ２０が着信通知を行う。カメラ部１０が起動していない場合、および着信の通知方法がバイブモードに設定されていない場合は、現在設定されている通知方法により着信通知を行う。【選択図】          図１
2005252971.tif 000002
【特許請求の範囲】
【請求項１】
他の通信機器と通信を行う通信手段と、
被写体像を撮影する撮影手段と、
前記他の通信機器からの着信を振動により通知する振動通知手段と、
前記撮影手段の状態を検知する検知手段と、
該検知手段により前記撮影手段が撮影可能な状態であると検知され、かつ前記振動通知手段により前記着信を振動により通知するよう設定されている場合に、該振動のレベルを変更するレベル変更手段とを備えたことを特徴とする携帯端末装置。
【請求項２】
前記レベル変更手段は、前記通信手段が着信したときに前記振動のレベルを変更する手段であることを特徴とする請求項１記載の携帯端末装置。
【請求項３】
他の通信機器と通信を行う通信手段と、
被写体像を撮影する撮影手段と、
該撮影手段の撮影条件を設定する撮影条件設定手段と、
前記他の通信機器からの着信を振動により通知する振動通知手段と、
前記撮影手段の状態を検知する検知手段と、
該検知手段により前記撮影手段が撮影可能な状態であると検知され、かつ前記振動通知手段により前記着信を振動により通知するよう設定されている場合に、前記撮影条件設定手段が設定した前記撮影条件に応じて、該振動のレベルを変更するレベル変更手段とを備えたことを特徴とする携帯端末装置。
【請求項４】
前記レベル変更手段は、前記通信手段が着信したときに前記振動のレベルを変更する手段であることを特徴とする請求項３記載の携帯端末装置。
【請求項５】
音声により着信通知を行う音声通知手段をさらに備え、
前記レベル変更手段は、前記撮影条件が所定のレベルの場合には、前記振動に代えて音声による着信通知を行うよう前記音声通知手段を制御する手段であることを特徴とする請求項３または４記載の携帯端末装置。
【請求項６】
他の通信機器と通信を行う通信手段と、
被写体像を撮影する撮影手段と、
前記他の通信機器からの着信を振動により通知する振動通知手段とを備えた携帯端末装置の着信通知方法において、
前記撮影手段の状態を検知し、
前記撮影手段が撮影可能な状態であると検知され、かつ前記振動通知手段により前記着信を振動により通知するよう設定されている場合に、該振動のレベルを変更することを特徴とする携帯端末装置の着信通知方法。
【請求項７】
他の通信機器と通信を行う通信手段と、
被写体像を撮影する撮影手段と、
該撮影手段の撮影条件を設定する撮影条件設定手段と、
前記他の通信機器からの着信を振動により通知する振動通知手段とを備えた携帯端末装置の着信通知方法において、
前記撮影手段の状態を検知し、
前記撮影手段が撮影可能な状態であると検知され、かつ前記振動通知手段により前記着信を振動により通知するよう設定されている場合に、前記撮影条件設定手段が設定した前記撮影条件に応じて、該振動のレベルを変更することを特徴とする携帯端末装置の着信通知方法。
【請求項８】
他の通信機器と通信を行う通信手段と、
被写体像を撮影する撮影手段と、
前記他の通信機器からの着信を振動により通知する振動通知手段とを備えた携帯端末装置の着信通知方法をコンピュータに実行させるためのプログラムにおいて、
前記撮影手段の状態を検知する手順と、
前記撮影手段が撮影可能な状態であると検知され、かつ前記振動通知手段により前記着信を振動により通知するよう設定されている場合に、該振動のレベルを変更する手順とを有することを特徴とするプログラム。
【請求項９】
他の通信機器と通信を行う通信手段と、
被写体像を撮影する撮影手段と、
該撮影手段の撮影条件を設定する撮影条件設定手段と、
前記他の通信機器からの着信を振動により通知する振動通知手段とを備えた携帯端末装置の着信通知方法をコンピュータに実行させるためのプログラムにおいて、
前記撮影手段の状態を検知する手順と、
前記撮影手段が撮影可能な状態であると検知され、かつ前記振動通知手段により前記着信を振動により通知するよう設定されている場合に、前記撮影条件設定手段が設定した前記撮影条件に応じて、該振動のレベルを変更する手順とを有することを特徴とするプログラム。
【発明の詳細な説明】
【技術分野】
【０００１】
本発明は、撮影手段を備えた携帯端末装置に関し、とくに振動により着信を通知することが可能な携帯端末装置、携帯端末装置の着信通知方法および着信通知方法をコンピュータに実行させるためのプログラムに関するものである。
【背景技術】
【０００２】
携帯電話の普及には目覚ましいものがあるが、近年、撮影により画像データを取得する撮影手段を有するカメラ付き携帯電話が普及しつつある。このようなカメラ付き携帯電話を用いることにより、一般のカメラより機能は劣るものの、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
一方、携帯電話の着信を通知する方法としては音声によるものが一般的であるが、音声をならしたくないような状況を考慮して、携帯電話においては振動により着信を通知するモードとしてバイブモードを備えているのが一般的である。
【０００４】
ところで、カメラにより撮影中に着信があると、とくに振動により着信を通知するように設定している場合には、手ぶれを生じやすく撮影を良好に行うことができないという問題がある。
【０００５】
このため、着信があった場合には、音声通話以外の機能を停止させるようにした携帯電話が提案されている（特許文献１参照）。また、カメラにより撮影を行うモードが設定されて、かつ振動により着信を知らせるモードが設定されている場合に着信があると、着信通知方法を振動以外の音声等の方法に変更するようにした手法が提案されている（特許文献２，３参照）。また、着信通知方法を変更する手法として、撮影により取得した画像に基づいて周囲の明るさを推定し、明るさに応じて呼び出し音量を変更する手法が提案されている（特許文献４参照）。
【特許文献１】特開２００１−１８９８１２号公報
【特許文献２】特開２０００−２１７０１５号公報
【特許文献１】特開２００１−１６５６０号公報
【特許文献１】特開２０００−１８４０１３号公報
【発明の開示】
【発明が解決しようとする課題】
【０００６】
しかしながら、上記特許文献１に記載された携帯電話では、着信を無視して撮影を続けたい場合においても、音声通話以外の機能が停止してしまうことから、ユーザの意志通りに撮影を続けることができなくなってしまうという問題がある。また、上記特許文献２，３に記載された手法は、携帯電話のユーザが設定した着信通知方法とは異なる音声あるいはモニタへの表示等により着信が通知されるため、ユーザの撮影行為の妨げとなってしまうとともに、音声により周囲に迷惑がかかることにもなりかねない。
【０００７】
本発明は上記事情に鑑みなされたものであり、カメラ付きの携帯端末装置を用いた撮影時において、ユーザが意図するように着信を通知できるようにすることを目的とする。
【課題を解決するための手段】
【０００８】
本発明による第１の携帯端末装置は、他の通信機器と通信を行う通信手段と、
被写体像を撮影する撮影手段と、
前記他の通信機器からの着信を振動により通知する振動通知手段と、
前記撮影手段の状態を検知する検知手段と、
該検知手段により前記撮影手段が撮影可能な状態であると検知され、かつ前記振動通知手段により前記着信を振動により通知するよう設定されている場合に、該振動のレベルを変更するレベル変更手段とを備えたことを特徴とするものである。
【０００９】
「振動のレベルを変更する」とは、振動のレベルを小さくすることのみならず、大きくすることをも含む。また、振動のレベルを段階的に変更可能な場合にはその段階を変更することを意味する。
【００１０】
なお、本発明による第１の携帯端末装置においては、前記レベル変更手段を、前記通信手段が着信したときに前記振動のレベルを変更する手段としてもよい。
【００１１】
本発明による第２の携帯端末装置は、他の通信機器と通信を行う通信手段と、
被写体像を撮影する撮影手段と、
該撮影手段の撮影条件を設定する撮影条件設定手段と、
前記他の通信機器からの着信を振動により通知する振動通知手段と、
前記撮影手段の状態を検知する検知手段と、
該検知手段により前記撮影手段が撮影可能な状態であると検知され、かつ前記振動通知手段により前記着信を振動により通知するよう設定されている場合に、前記撮影条件設定手段が設定した前記撮影条件に応じて、該振動のレベルを変更するレベル変更手段とを備えたことを特徴とするものである。
【００１２】
「撮影条件」としては、撮影手段のシャッタスピード、撮影時の明るさ等を用いることができる。
【００１３】
ここで、撮影時の明るさが大きい場合やシャッタスピードが速い場合は、撮影時に多少手ぶれをしても撮影を失敗する可能性は低い。逆に撮影時の明るさが暗い場合、シャッタスピードが遅い場合には、わずかな手ぶれでも撮影を失敗する可能性が高い。したがって、本発明の第２の携帯端末装置において「撮影条件に応じて振動のレベルを変更する」とは、手ぶれが生じやすい撮影条件となるほど振動のレベルを小さくするよう振動のレベルを変更することを意味するが、逆に振動のレベルを大きくするように変更することを除外するものではない。また、振動のレベルを段階的に変更可能な場合にはその段階を変更することを意味する。なお、「撮影条件に応じて振動のレベルを変更する」とは、撮影条件によってはユーザが設定した振動のレベルを変更しないことも含むものとする。
【００１４】
なお、本発明による第２の携帯端末装置においては、前記レベル変更手段を、前記通信手段が着信したときに前記振動のレベルを変更する手段としてもよい。
【００１５】
また、本発明による第２の携帯端末装置においては、音声により着信通知を行う音声通知手段をさらに備えるものとし、
前記レベル変更手段を、前記撮影条件が所定のレベルの場合には、前記振動に代えて音声による着信通知を行うよう前記音声通知手段を制御する手段としてもよい。
【００１６】
本発明による第１の携帯端末装置の着信通知方法は、他の通信機器と通信を行う通信手段と、
被写体像を撮影する撮影手段と、
前記他の通信機器からの着信を振動により通知する振動通知手段とを備えた携帯端末装置の着信通知方法において、
前記撮影手段の状態を検知し、
前記撮影手段が撮影可能な状態であると検知され、かつ前記振動通知手段により前記着信を振動により通知するよう設定されている場合に、該振動のレベルを変更することを特徴とするものである。
【００１７】
本発明による第２の携帯端末装置の着信通知方法は、他の通信機器と通信を行う通信手段と、
被写体像を撮影する撮影手段と、
該撮影手段の撮影条件を設定する撮影条件設定手段と、
前記他の通信機器からの着信を振動により通知する振動通知手段とを備えた携帯端末装置の着信通知方法において、
前記撮影手段の状態を検知し、
前記撮影手段が撮影可能な状態であると検知され、かつ前記振動通知手段により前記着信を振動により通知するよう設定されている場合に、前記撮影条件設定手段が設定した前記撮影条件に応じて、該振動のレベルを変更することを特徴とするものである。
【００１８】
なお、本発明による第１および第２の携帯端末装置の着信通知方法をコンピュータに実行させるためのプログラムとして提供してもよい。
【発明の効果】
【００１９】
本発明の第１の携帯端末装置およびその着信通知方法によれば、撮影手段が撮影可能な状態であると検知され、かつ着信を振動により通知するよう設定されている場合には、振動のレベルが変更される。このため、振動のレベルを小さく変更するようにすれば、撮影時に手ぶれが生じることがなくなる。したがって、撮影を続けつつもユーザが意図する方法により着信を通知することができる。また、逆に振動のレベルを大きく変更するようにすれば、手ぶれが生じやすくなることから、ユーザに対して撮影をやめるように誘導することができ、これにより手ぶれによって撮影を失敗することを防止することができる。
【００２０】
また、着信したときに振動のレベルを変更することにより、着信がない場合に振動のレベルが変更されてしまうことを防止できる。
【００２１】
本発明の第２の携帯端末装置およびその着信通知方法によれば、撮影手段が撮影可能な状態であると検知され、かつ着信を振動により通知するよう設定されている場合には、撮影条件に応じて振動のレベルが変更される。このため、手ぶれを生じやすい撮影条件の場合には振動のレベルを小さく変更するようにすれば、撮影時に手ぶれが生じることがなくなる。また、手ぶれを生じにくい撮影条件の場合には振動のレベルをそれほど下げないように変更するまたは変更しないようにすれば、ユーザが意図する方法により着信が通知される。したがって、撮影を続けつつもユーザが意図する方法により着信を通知することができる。また、逆に振動のレベルを大きく変更するように振動のレベルを設定すれば、手ぶれが生じやすくなることから、ユーザに対して撮影をやめるように誘導することができ、これにより手ぶれによって撮影を失敗することを防止することができる。
【００２２】
また、着信したときに振動のレベルを設定することにより、着信がない場合に振動のレベルが変更されてしまうことを防止できる。
【００２３】
また、撮影条件が所定のレベル場合に、振動に代えて音声による着信通知を行うことにより、手ぶれが生じることを完全に防止することができる。
【発明を実施するための最良の形態】
【００２４】
以下、図面を参照して本発明の実施形態について説明する。図１は本発明の携帯端末装置の第１の実施形態による携帯電話の構成を示す概略ブロック図である。図１に示すように、本発明の第１の実施形態による携帯電話１は、被写体の撮影を行うカメラ部１０と、カメラ部１０の状態を検知するカメラ状態検知部１２と、音声通話および電子メールの送受信を行うことにより他の携帯電話と通信を行う通信部１４と、携帯電話１についての操作の入力を受け付けるテンキーおよび十字キー等からなる操作部１６と、カメラ部１０が撮影した画像等各種表示を行う液晶モニタ等からなる表示部１８と、振動により着信を通知するためのバイブレータ２０と、バイブレータ２０の駆動を制御するバイブレータ制御部２２と、携帯電話１の動作プログラム等を記憶するとともにプログラム実行時の作業領域となるメインメモリ２４と、メインメモリ２４に対する各種情報の記録および読み出しを制御する第１のメモリ制御部２６と、カメラ部１０が撮影した画像を記録する着脱可能に設けられたメモリカード等の記録媒体２８と、記録媒体２８に対する各種情報の記録および読み出しを制御する第２のメモリ制御部３０と、携帯電話１の駆動を制御するＣＰＵ３２とがバス３４により接続されることにより構成される。
【００２５】
カメラ部１０は、撮影レンズ、シャッタ、撮影により画像データを取得するＣＣＤ、ストロボおよび画像データに対して各種画像処理を施す画像処理部を備えてなり、操作部１６により携帯電話１の動作モードがカメラモードに切り替えられている状態において、ユーザが操作部１６を用いて撮影動作を行うことにより、被写体の撮影を行い、被写体像を表す画像データを取得する。なお、カメラ部１０が取得した画像データは、第２のメモリ制御部３０により記録媒体２８に記録される。
【００２６】
カメラ状態検知部１２は、通信部１４に音声通話または電子メールの着信があった場合に、ＣＰＵ３２からの指示により、カメラ部１０が起動しているか否かを検知する。すなわち、カメラ状態検知部１２は、ユーザが操作部１６を用いて携帯電話１の動作モードをカメラモードに切り替えて撮影を行っている状態において着信があると、カメラ部１０が起動していることを検知する。そしてその検知結果をＣＰＵ３２に出力する。なお、携帯電話１の動作モードがカメラモード以外のモード（例えば通話モード、メールモード等）に切り替えられている状態において着信があると、カメラ状態検知部１２はカメラ部１０が起動していないことを検知し、その検知結果をＣＰＵ３２に出力する。
【００２７】
通信部１４は音声通話およびメールの着信があると、その旨をＣＰＵ３２に出力する。また、通信部１４は音声により着信を通知する機能、音声通話を行う機能、メールの送受信を行う機能を有する。
【００２８】
バイブレータ制御部２２は、ユーザが操作部１６により着信モードをバイブモードに設定している状態において通信部１４に着信があると、ＣＰＵ４２からの指示により、音声による通知に代えて振動により着信を通知するようバイブレータ２０を駆動する。なお、本実施形態においては、操作部１６からの操作により、バイブレータ２０の振動のレベルを強中弱の３段階に設定可能とされている。バイブレータ制御部２２は設定されたレベルにより振動するようバイブレータ２０を駆動する。
【００２９】
ＣＰＵ３２は、携帯電話１のモードに応じて携帯電話１の駆動を制御する。すなわち、通話モードやメールモードが設定されている場合には、通話やメールの送受信やメールの作成が可能なように携帯電話１を制御する。また、カメラモードが設定されている場合には、カメラ部１０を用いて操作部１６からの操作により被写体の撮影を行うことができるように携帯電話１を制御する。
【００３０】
また、ＣＰＵ３２は、通信部１４に着信があったときに、カメラ状態検知部１２に対してカメラ部１０が起動しているか否かを検知する指示を行う。そして、カメラ状態検知部１２からカメラ部１０が起動している旨の検知結果が入力されると、さらに、着信モードをバイブモードに設定しているか否かを判定する。そして、着信モードをバイブモードに設定していると判定されると、バイブレータ２０の振動のレベルを弱に変更するようにバイブレータ制御部２２に指示を行う。なお、カメラ状態検知部１２からカメラ部１０が起動していない旨の検知結果が入力されると、現在設定されているレベルにてバイブレータ２０を駆動するようバイブレータ制御部２２に指示を行う。
【００３１】
次いで、第１の実施形態において行われる処理について説明する。図２は第１の実施形態において着信時に行われる処理を示すフローチャートである。通信部１４に着信があるとＣＰＵ３２が処理を開始し、ＣＰＵ３２からの指示により、カメラ状態検知部１２がカメラ部１０が起動しているか否かを検知する（ステップＳ１）。そしてＣＰＵ３２は、カメラ状態検知部１２による検知結果がカメラ部１０が起動していることを表すものであるか否かを判定し（ステップＳ２）、ステップＳ２が肯定されると、ＣＰＵ３２は着信の通知方法がバイブモードとなっているか否かを判定する（ステップＳ３）。ステップＳ３が肯定されると、ＣＰＵ３２からの指示によりバイブレータ制御部２２がバイブレータ２０の振動レベルを弱に変更し（ステップＳ４）、これによりバイブレータ２０が弱の振動レベルにより着信通知を行い（ステップＳ５）、処理を終了する。
【００３２】
なお、カメラ部１０が起動していないためにステップＳ２が否定された場合、および着信の通知方法がバイブモードに設定されていないためにステップＳ３が否定された場合には、現在設定されている通知方法により着信通知を行い（ステップＳ６）、処理を終了する。
【００３３】
このように、第１の実施形態においては、カメラ部１０が起動し、かつ着信通知がバイブモードに設定されている場合に着信があると、振動のレベルを弱に変更するようにしたため、撮影時に手ぶれが生じることがなくなる。したがって、撮影を続けつつもユーザが意図する方法により着信を通知することができる。
【００３４】
なお、上記第１の実施形態においては、着信時にカメラ部１０が起動しているか否かを検知しているが、携帯電話１の動作モードをカメラモードに切り替えたときに、着信通知方法がバイブモードであるか否かを判定し、バイブモードに設定されている場合に、振動レベルを弱に変更するようにしてもよい。
【００３５】
また、上記第１の実施形態においては、カメラ部１０が起動している状態において着信があるとバイブレータ２０の振動レベルを弱に変更しているが、強に変更してより大きく振動させるようにしてもよい。このように振動レベルを強に変更することにより、手ぶれが生じやすくなることから、ユーザに対して撮影をやめるように誘導することができ、これにより手ぶれによって撮影を失敗することを防止することができる。
【００３６】
次いで、本発明の第２の実施形態について説明する。図３は本発明の携帯端末装置の第２の実施形態による携帯電話の構成を示す概略ブロック図である。図３に示すように、本発明の第２の実施形態による携帯電話５１は、第１の実施形態における携帯電話１のカメラ部１０、カメラ状態検知部１２、通信部１４、操作部１６、表示部１８、バイブレータ２０、バイブレータ制御部２２、メインメモリ２４、第１のメモリ制御部２６、記録媒体２８、第２のメモリ制御部３０、およびＣＰＵ３２に加えて、バイブモード時の振動レベルを決定する振動レベル決定部４０がバス３４により接続されることにより構成される。
【００３７】
振動レベル決定部４０は、通信部１４に着信があり、カメラ状態検知部１２がカメラ部１０が起動していると検知し、さらに着信モードがバイブモードに設定されている場合に、カメラ部１０から撮影条件を表す撮影条件情報を取得する。ここで、本実施形態においては撮影条件情報としてカメラ部１０が撮影を行う際のシャッタスピードを用いるものとする。そして、取得した撮影条件情報に応じてバイブレータ２０の振動レベルを決定する。なお、第２の実施形態においては、振動レベルを強中弱および微弱の４段階に切り替え可能であるものとする。
【００３８】
具体的には以下のようにして振動レベルを決定する。すなわち、シャッタスピードが１／６０以下の場合には振動レベルを微弱に決定し、シャッタスピードが１／６０より速く１／２５０以下の場合に弱に決定し、シャッタスピードが１／２５０より速い場合には現在設定されている振動レベルをそのまま維持する。
【００３９】
次いで、第２の実施形態において行われる処理について説明する。図４は第２の実施形態において着信時に行われる処理を示すフローチャートである。通信部１４に着信があるとＣＰＵ３２が処理を開始し、ＣＰＵ３２からの指示により、カメラ状態検知部１２がカメラ部１０が起動しているか否かを検知する（ステップＳ１１）。そしてＣＰＵ３２は、カメラ状態検知部１２による検知結果がカメラ部１０が起動していることを表すものであるか否かを判定し（ステップＳ１２）、ステップＳ１２が肯定されると、ＣＰＵ３２は着信の通知方法がバイブモードとなっているか否かを判定する（ステップＳ１３）。ステップＳ１３が肯定されると、ＣＰＵ３２からの指示により、振動レベル決定部４０がカメラ部１０から撮影条件情報を取得し（ステップＳ１４）、撮影条件情報により表されるシャッタスピードが１／６０以下であるか否かを判定する（ステップＳ１５）。ステップＳ１５が肯定されると、振動レベル決定部４０が振動レベルを微弱に決定し、これによりバイブレータ制御部２２がバイブレータ２０の振動レベルを微弱に変更する（ステップＳ１６）。そして、バイブレータ２０が微弱の振動レベルにより着信通知を行い（ステップＳ１７）、処理を終了する。
【００４０】
一方、ステップＳ１５が否定されると、振動レベル決定部４０が撮影条件情報により表されるシャッタスピードが１／２５０以下であるか否かを判定する（ステップＳ１８）。ステップＳ１８が肯定されると、振動レベル決定部４０が振動レベルと弱に決定し、これによりバイブレータ制御部２２がバイブレータ２０の振動レベルを弱に変更する（ステップＳ１９）。そして、バイブレータ２０が弱の振動レベルにより着信通知を行い（ステップＳ１７）、処理を終了する。
【００４１】
なお、カメラ部１０が起動していないためにステップＳ１２が否定された場合、着信の通知方法がバイブモードに設定されていないためにステップＳ１３が否定された場合、およびシャッタスピードが１／２５０より速いためにステップＳ１８が否定された場合には、現在設定されている通知方法により着信通知を行い（ステップＳ２０）、処理を終了する。
【００４２】
このように、第２の実施形態においては、カメラ部１０が起動し、かつ着信通知がバイブモードに設定されている場合に着信があると、撮影条件情報に応じてシャッタスピードが遅いほど段階的に振動レベルと微弱、弱に変更して着信を通知するようにしたため、とくに手ぶれを生じやすい撮影条件の場合において、撮影時に手ぶれが生じることがなくなる。また、振動のレベルが変更されるのみであるためユーザが意図する方法により着信を通知することができる。また、シャッタスピードが速く、手ぶれを生じにくい撮影条件の場合には現在設定中の振動レベルにより着信を通知するようにしたため、ユーザが意図する方法を何ら変更することなく着信が通知される。したがって、撮影を続けつつもユーザが意図する方法により着信を通知することができる
なお、上記第２の実施形態においては、着信時にカメラ部１０が起動しているか否かを検知しているが、携帯電話５１の動作モードをカメラモードに切り替えたときに、着信通知方法がバイブモードであるか否かを判定し、バイブモードに設定されている場合に、振動レベル決定部４０において振動レベルを決定するようにしてもよい。
【００４３】
また、上記第２の実施形態においては、カメラ部１０が起動している状態において着信があると撮影条件情報に応じてバイブレータ２０の振動レベルを微弱あるいは弱に変更しているが、強に変更してより大きく振動させるようにしてもよい。このように振動レベルを強に変更することにより、手ぶれが生じやすくなることから、ユーザに対して撮影をやめるように誘導することができ、これによる手ぶれによって撮影を失敗することを防止することができる。
【００４４】
また、上記第２の実施形態においては、振動レベル決定部４０がシャッタスピードに応じて振動レベルを決定しているが、カメラ部１０が備える露光計が検出した周囲の明るさに応じて振動レベルを決定してもよい。具体的には明るさが暗いほど振動レベルを弱くするように振動レベルを決定すればよい。
【００４５】
また、上記第２の実施形態においては、シャッタスピードが１／６０以下の場合に振動レベルを微弱となるように決定しているが、これに代えて音声により着信を通知するようにしてもよい。これにより、手ぶれが生じることを完全に防止することができる。なおこの場合、振動レベル決定部４０が着信方法を音声とするように決定し、その決定結果をＣＰＵ３２に入力する。ＣＰＵ３２はこの入力を受けて、通信部１４に対して音声により着信通知を行う指示を行い、これにより通信部１４が音声により着信通知を行う。
【図面の簡単な説明】
【００４６】
【図１】本発明の携帯端末装置の第１の実施形態による携帯電話の構成を示す概略ブロック図
【図２】第１の実施形態において着信時に行われる処理を示すフローチャート
【図３】本発明の携帯端末装置の第２の実施形態による携帯電話の構成を示す概略ブロック図
【図４】第２の実施形態において着信時に行われる処理を示すフローチャート
【符号の説明】
【００４７】
１，５１    携帯電話
１０  カメラ部
１２  カメラ状態検知部
１４  通信部
１６  操作部
１８  表示部
２０  バイブレータ
２２  バイブレータ制御部
２４  メインメモリ
２６  第１のメモリ制御部
２８  記録媒体
３０  第２のメモリ制御部
３２  ＣＰＵ
３４  バス
４０  振動レベル決定部
【図１】
2005252971.tif 000003
【図２】
2005252971.tif 000004
【図３】
2005252971.tif 000005
【図４】
2005252971.tif 000006